(57)【要約】【課題】コントラスト比および明るさの向上を図った画像の投写が可能なプロジェクターを提供する。【解決手段】プロジェクターは、偏光方向を所定の方向に揃えてＲ光、Ｇ光、Ｂ光を射出する照明装置と、Ｒ光、Ｇ光、Ｂ光をそれぞれ変調する空間光変調装置３２０と、入射する色光を変調することにより光量を調整する副空間光変調装置３１０と、第１の空間光変調装置３２０Ｒおよび第３の空間光変調装置３２０Ｂから射出されたＲ光、Ｂ光を反射し、第２の空間光変調装置３２０Ｇから射出されたＧ光を透過することにより３つの色光を合成するクロスダイクロイックプリズム４００と、クロスダイクロイックプリズム４００にて合成された光を投写する投写光学装置と、を備え、クロスダイクロイックプリズム４００に入射するＲ光、Ｂ光は、第１偏光光であり、クロスダイクロイックプリズム４００に入射するＧ光は、第２偏光光である。【選択図】図２
2014170095.tif 000002
【特許請求の範囲】
【請求項１】
光源を有し、偏光方向を所定の方向に揃えてそれぞれの波長域に属した第１の色光および第２の色光を射出する照明装置と、
前記第１の色光を変調する第１の空間光変調装置と、
前記第２の色光を変調する第２の空間光変調装置と、
前記第１の空間光変調装置および前記第２の空間光変調装置の少なくともいずれか１つの光入射側または光射出側に配置され、入射する色光を変調することにより射出される光量を調整する副空間光変調装置と、
前記第１の空間光変調装置から射出された前記第１の色光を反射し、前記第２の空間光変調装置から射出された前記第２の色光を透過する第１の反射膜を有し、前記第１の空間光変調装置および前記第２の空間光変調装置にて変調された各色光を合成する色合成光学装置と、
前記色合成光学装置にて合成された光を投写する投写光学装置と、
を備え、
前記色合成光学装置に入射する前記第１の色光は、第１の偏光方向を有する第１偏光光であり、
前記色合成光学装置に入射する前記第２の色光は、前記第１の偏光方向に直交する第２の偏光方向を有する第２偏光光であることを特徴とするプロジェクター。
【請求項２】
請求項１に記載のプロジェクターであって、
前記副空間光変調装置は、
前記第１の色光を変調することにより射出される光量を調整する第１の副空間光変調装置と、
前記第２の色光を変調することにより射出される光量を調整する第２の副空間光変調装置と、
を備えることを特徴とするプロジェクター。
【請求項３】
請求項２に記載のプロジェクターであって、
前記第１の副空間光変調装置および前記第２の副空間光変調装置は、
入射する光を変調する液晶パネルと、
前記液晶パネルの光入射側に配置される入射側偏光板と、
前記液晶パネルの光射出側に配置される射出側偏光板と、
をそれぞれ備え、
前記第１の副空間光変調装置における前記入射側偏光板と前記射出側偏光板とは、パラレルニコル配置およびクロスニコル配置のいずれか一方となるように配置され、
前記第２の副空間光変調装置における前記入射側偏光板と前記射出側偏光板とは、前記パラレルニコル配置および前記クロスニコル配置の他方となるように配置されることを特徴とするプロジェクター。
【請求項４】
請求項１〜請求項３のいずれか一項に記載のプロジェクターであって、
入射する前記第１偏光光および前記第２偏光光のいずれか一方を他方に変換する位相差板を備え、
前記位相差板は、前記第１の色光および前記第２の色光の少なくともいずれか１つの光路上における前記照明装置と前記色合成光学装置との間に配置されていることを特徴とするプロジェクター。
【請求項５】
請求項２に記載のプロジェクターであって、
入射する前記第１偏光光および前記第２偏光光のいずれか一方を他方に変換する位相差板を備え、
前記位相差板は、前記第１の色光および前記第２の色光のいずれか一方の光路上における前記照明装置と前記色合成光学装置との間に配置され、
前記第１の空間光変調装置、前記第２の空間光変調装置、前記第１の副空間光変調装置、および前記第２の副空間光変調装置は、
入射する光を変調する液晶パネルと、
前記液晶パネルの光入射側に配置される入射側偏光板と、
前記液晶パネルの光射出側に配置される射出側偏光板と、
をそれぞれ備え、
前記第１の空間光変調装置、前記第２の空間光変調装置、前記第１の副空間光変調装置、および前記第２の副空間光変調装置、のそれぞれにおける前記入射側偏光板と前記射出側偏光板とは、パラレルニコル配置およびクロスニコル配置のいずれか一方となるように配置されていることを特徴とするプロジェクター。
【請求項６】
請求項１〜請求項５のいずれか一項に記載のプロジェクターであって、
前記第１偏光光はｓ偏光光であり、前記第２偏光光はｐ偏光光であることを特徴とするプロジェクター。
【発明の詳細な説明】
【技術分野】
【０００１】
本発明は、プロジェクターに関する。
【背景技術】
【０００２】
従来、光源と、光源から射出された光を変調する光変調装置と、変調した光を投写する投写レンズとを備えたプロジェクターが知られている。ところで、近年、投写される画像の高コントラスト比化が求められており、この高コントラスト比化のために、光変調装置の光路前段側に光量を調整する調光手段を備えたプロジェクター（投写型表示装置）が提案されている（例えば、特許文献１参照）。
【０００３】
特許文献１に記載のプロジェクターは、光源から射出される光を複数の色光に分離する色分離手段と、分離された複数の色光を変調する光変調手段と、変調された各色光を合成する色合成手段と、合成された光を投写する投写手段と、液晶パネル等で構成された調光手段とを備える。
調光手段は、各色光の光変調手段と色分離手段との間に配置され、外部からの情報に基づいて透過する各色光の光量を調節するように構成されている。そして、光量が調整された各色光は、光変調手段で変調された後、色合成手段で合成され、投写手段で投写される。
【先行技術文献】
【特許文献】
【０００４】
【特許文献１】特開２００３−１８６１０７号公報
【発明の概要】
【発明が解決しようとする課題】
【０００５】
しかしながら、特許文献１に記載のプロジェクターは、調光手段が分離された色光の光量を調整することによって、投写される画像のコントラスト比は向上するとはいうものの、色分離手段から投写手段に至る光路上において、色光が光学部品で反射や透過する際に、損失となる成分が生じることが考えられ、投写される画像が光源の能力を発揮した明るさにならない恐れがある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光源を有し、偏光方向を所定の方向に揃えてそれぞれの波長域に属した第１の色光および第２の色光を射出する照明装置と、前記第１の色光を変調する第１の空間光変調装置と、前記第２の色光を変調する第２の空間光変調装置と、前記第１の空間光変調装置および前記第２の空間光変調装置の少なくともいずれか１つの光入射側または光射出側に配置され、入射する色光を変調することにより射出される光量を調整する副空間光変調装置と、前記第１の空間光変調装置から射出された前記第１の色光を反射し、前記第２の空間光変調装置から射出された前記第２の色光を透過する第１の反射膜を有し、前記第１の空間光変調装置および前記第２の空間光変調装置にて変調された各色光を合成する色合成光学装置と、前記色合成光学装置にて合成された光を投写する投写光学装置と、を備え、前記色合成光学装置に入射する前記第１の色光は、第１の偏光方向を有する第１偏光光であり、前記色合成光学装置に入射する前記第２の色光は、前記第１の偏光方向に直交する第２の偏光方向を有する第２偏光光であることを特徴とする。
【０００８】
この構成によれば、第１の空間光変調装置および第２の空間光変調装置の少なくともいずれか１つの光入射側または光射出側には、副空間光変調装置が配置されているので、照明装置から射出された色光の光量を調整し、投写される画像のコントラスト比の向上、つまり表示できる画像の明るさの範囲（ダイナミックレンジ）を広げることが可能となる。
また、色合成光学装置は、第１偏光光の第１の色光を反射し、第２偏光光の第２の色光を透過させて２色の色光を合成する。これによって、第１偏光光に対して、第２偏光光に対するよりも広い波長領域で高い反射率を有するような誘電体多層膜等を第１反射膜として用いることで、各空間光変調装置で変調された色光を効率よく利用することができる。
したがって、プロジェクターは、コントラスト比および明るさの向上を図った画像の投写が可能となり、高画質で使用環境への対応に優れた画像の投写を実現することができる。
ここで、用語「空間光変調装置」は透過型または反射型のライトバルブを含む用語である。本発明において「空間光変調装置」を修飾する「副」は、「空間光変調装置」の区別を文言上で明確にするために単に付された語であり。他と区別する以外に意味をもたない。
【０００９】
［適用例２］上記適用例に係るプロジェクターにおいて、前記副空間光変調装置は、前記第１の色光を変調することにより光量を調整する第１の副空間光変調装置と、前記第２の色光を変調することにより光量を調整する第２の副空間光変調装置と、を備えることが好ましい。
【００１０】
この構成によれば、副空間光変調装置は、２つの色光それぞれに対応して設けられているので、照明装置から射出された２つの色光の光量を調整し、プロジェクターは、さらにコントラスト比を高めた画像の投写が可能となる。
【００１１】
［適用例３］上記適用例に係るプロジェクターにおいて、前記第１の副空間光変調装置および前記第２の副空間光変調装置は、入射する光を変調する液晶パネルと、前記液晶パネルの光入射側に配置される入射側偏光板と、前記液晶パネルの光射出側に配置される射出側偏光板と、を備え、前記第１の副空間光変調装置および前記第３の副空間光変調装置における入射側偏光板と射出側偏光板とは、パラレルニコル配置およびクロスニコル配置のいずれか一方となるように配置され、前記第２の副空間光変調装置における入射側偏光板と射出側偏光板とは、前記パラレルニコル配置および前記クロスニコル配置の他方となるように配置されることが好ましい。
【００１２】
この構成によれば、第１の副空間光変調装置と、第２の副空間光変調装置とで、入射側偏光板の透過軸に対する射出側偏光板の透過軸の方向が異なるので、照明装置から射出された偏光方向が所定の方向である２つの色光を所望の偏光方向に変換して色合成光学装置に入射させることができる。すなわち、照明装置から射出された第１の色光が第１偏光光として色合成光学装置に入射し、第２の色光が第２偏光光として色合成光学装置に入射するように容易に構成することができる。
【００１３】
［適用例４］上記適用例に係るプロジェクターにおいて、入射する前記第１偏光光および前記第２偏光光のいずれか一方を他方に変換する位相差板を備え、前記位相差板は、前記第１の色光および前記第２の色光の少なくともいずれか１つの光路上における前記照明装置と前記色合成光学装置との間に配置されていることが好ましい。
【００１４】
この構成によれば、位相差板は、照明装置や空間光変調装置、副空間光変調装置から射出される光の偏光方向を容易に変換することができるので、色合成光学装置に入射する第１の色光が第１偏光光となり、色合成光学装置に入射する第２の色光が第２偏光光になるように容易に構成することができる。つまり、照明装置、空間光変調装置および副空間光変調装置の構成の自由度を広げることができる。
【００１５】
［適用例５］上記適用例に係るプロジェクターにおいて、入射する前記第１偏光光および前記第２偏光光のいずれか一方を他方に変換する位相差板を備え、前記位相差板は、前記第１の色光および前記第２の色光のいずれか一方の光路上における前記照明装置と前記色合成光学装置との間に配置され、前記第１の空間光変調装置、前記第２の空間光変調装置、前記第１の副空間光変調装置、および前記第２の副空間光変調装置は、入射する光を変調する液晶パネルと、前記液晶パネルの光入射側に配置される入射側偏光板と、前記液晶パネルの光射出側に配置される射出側偏光板と、をそれぞれ備え、前記第１の空間光変調装置、前記第２の空間光変調装置、前記第１の副空間光変調装置、および前記第２の副空間光変調装置、のそれぞれにおける前記入射側偏光板と前記射出側偏光板とは、パラレルニコル配置およびクロスニコル配置のいずれか一方となるように配置されていることが好ましい。
【００１６】
この構成によれば、第１の空間光変調装置、第２の空間光変調装置、第１の副空間光変調装置、および第２の副空間光変調装置の入射側偏光板と射出側偏光板との配置を、パラレルニコル配置およびクロスニコル配置のいずれか一方に統一させながら、位相差板により、色合成光学装置に入射する第１の色光が第１偏光光となり、色合成光学装置に入射する第２の色光が第２偏光光になるように光の偏光方向を容易に変換できる。第１の空間光変調装置、第２の空間光変調装置、第１の副空間光変調装置、および第２の副空間光変調装置の入射側偏光板と射出側偏光板との配置が一様であるため、第１の空間光変調装置、第２の空間光変調装置、第１の副空間光変調装置、および第２の副空間光変調装置の制御方法の簡素化が図れる。
【００１７】
［適用例６］上記適用例に係るプロジェクターにおいて、前記第１偏光光はｓ偏光光であり、前記第２偏光光はｐ偏光光であることが好ましい。
【００１８】
この構成によれば、ｓ偏光光に対して、ｐ偏光光に対するよりも広い波長領域で高い反射率を有するような誘電体多層膜を第１反射膜として用いることで、各空間光変調装置で変調された色光を効率よく利用することができる。したがって、プロジェクターは、コントラスト比および明るさの向上を図った画像の投写が可能となり、高画質で使用環境への対応に優れた画像の投写を実現することができる。
【図面の簡単な説明】
【００１９】
【図１】第１実施形態のプロジェクターにおける光学系の概略構成を示す模式図。
【図２】第１実施形態の電気光学装置およびクロスダイクロイックプリズムを示す模式図。
【図３】第１実施形態の第１の副空間光変調装置および第３の副空間光変調装置を示す模式図。
【図４】第１実施形態の第２の副空間光変調装置を示す模式図。
【図５】第１実施形態における第１反射膜および第２反射膜の分光反射率特性を示すグラフ。
【図６】第２実施形態における電気光学装置およびクロスダイクロイックプリズムを示す模式図。
【図７】第３実施形態おける電気光学装置およびクロスダイクロイックプリズムを示す模式図。
【図８】変形例の電気光学装置およびクロスダイクロイックプリズムを示す模式図。
【発明を実施するための形態】
【００２０】
（第１実施形態）
以下、第１実施形態に係るプロジェクターについて、図面を参照して説明する。
本実施形態のプロジェクターは、光源から射出された光を画像情報に応じて変調し、変調した光をスクリーン等の投写面に投写する。
〔プロジェクターの光学系の構成〕
図１は、本実施形態のプロジェクター１０００における光学系の概略構成を示す模式図である。
プロジェクター１０００の光学系は、図１に示すように、照明装置１０と、電気光学装置３００と、色合成光学装置としてのクロスダイクロイックプリズム４００と、投写光学装置としての投写レンズ５００とを備え、これらの光学部品は、図示しない光学部品用筐体に保持されている。
【００２１】
照明装置１０は、インテグレーター照明系１００および色分離光学系２００を備える。
インテグレーター照明系１００は、略平行な光を射出する光源１１０と、第１のレンズアレイ１２０と、第２のレンズアレイ１３０と、偏光変換手段としての偏光変換素子１４０と、重畳レンズ１５０とを備える。
【００２２】
光源１１０は、光を放射する発光管と、発光管からの光を所定の方向に向けて反射するリフレクターとを備え、第１のレンズアレイ１２０に向けて光を射出する。第１のレンズアレイ１２０は複数の小レンズを備え、光源１１０からの光を複数の部分光束に分割する。第２のレンズアレイ１３０および重畳レンズ１５０は、第１のレンズアレイ１２０からの複数の部分光束を集光し、被照明領域である電気光学装置３００の後述する空間光変調装置３２０の画像形成領域上に重ねあわせ、画像形成領域内を略均一な明るさで照明する。第２のレンズアレイ１３０と重畳レンズ１５０の間に配置された偏光変換素子１４０は、偏光分離膜と位相差板とを備え、光源１１０から射出されたランダムな偏光方向の光を、所定の方向の偏光光に揃えて射出する。本実施形態の偏光変換素子１４０は、ｓ偏光光を射出するように構成されている。
【００２３】
色分離光学系２００は、ダイクロイックミラー２１０、２２０と、反射ミラー２３０、２４０、２５０と、リレーレンズ２６０、２７０と、フィールドレンズ２８０Ｒ、２８０Ｇ、２８０Ｂとを備え、インテグレーター照明系１００から射出された白色光を第１の色光としての赤色光（以下「Ｒ光」という）、第２の色光としての緑色光（以下「Ｇ光」という）、および第３の色光としての青色光（以下「Ｂ光」という）の３色の色光に分離する。なお、ここで、反射ミラー２４０、２５０、およびリレーレンズ２６０、２７０をリレー光学系とする。
【００２４】
ダイクロイックミラー２１０は、インテグレーター照明系１００から射出された白色光のうちＲ光を反射させるとともに、Ｇ光とＢ光を透過させる。ダイクロイックミラー２２０は、ダイクロイックミラー２１０を透過した光のうち、Ｇ光を反射し、Ｂ光を透過させる。
【００２５】
ダイクロイックミラー２１０によって分離されたＲ光は、反射ミラー２３０で反射され、フィールドレンズ２８０Ｒを経て、電気光学装置３００の後述する第１の副空間光変調装置３１０Ｒに入射する。
ダイクロイックミラー２２０によって反射されたＧ光は、フィールドレンズ２８０Ｇを経て、電気光学装置３００の後述する第２の副空間光変調装置３１０Ｇに入射する。
そして、ダイクロイックミラー２２０を透過したＢ光は、リレーレンズ２６０、２７０および反射ミラー２４０、２５０、さらにフィールドレンズ２８０Ｂを経て、電気光学装置３００の後述する第３の副空間光変調装置３１０Ｂに入射する。
【００２６】
このように、照明装置１０は、ｓ偏光光に揃えられたＲ光の波長域に属した光（第１の色光）、Ｇ光の波長域に属した光（第２の色光）およびＢ光の波長域に属した光（第３の色光）を射出する。なお、本実施形態の光学系は、Ｂ光がリレー光学系で電気光学装置３００に導かれる構成としているが、これに限らず、例えば、Ｒ光またはＧ光がリレー光学系で電気光学装置３００に導かれる構成としてもよい。
【００２７】
電気光学装置３００は、Ｒ光、Ｇ光およびＢ光用それぞれに設けられた副空間光変調装置３１０、および空間光変調装置３２０を備えている。Ｒ光、Ｇ光、Ｂ光用にそれぞれ設けられた副空間光変調装置３１０を第１の副空間光変調装置３１０Ｒ、第２の副空間光変調装置３１０Ｇ、第３の副空間光変調装置３１０Ｂとする。そして、Ｒ光、Ｇ光、Ｂ光用にそれぞれ設けられた空間光変調装置３２０を第１の空間光変調装置３２０Ｒ、第２の空間光変調装置３２０Ｇ、第３の空間光変調装置３２０Ｂとする。
【００２８】
副空間光変調装置３１０は、照明装置１０から射出された色光を変調することにより透過する光量を調整する。空間光変調装置３２０は、副空間光変調装置３１０から射出された色光を画像情報に応じて変調し、表示画像を形成する。
後で詳細に説明するが、電気光学装置３００は、クロスダイクロイックプリズム４００に対して、第１の偏光方向を有する第１偏光光のＲ光（第１の色光）およびＢ光（第３の色光）を射出し、第１の偏光方向に直交する第２の偏光方向を有する第２偏光光のＧ光（第２の色光）を射出するように構成されている。本実施形態では、ｓ偏光光が第１偏光光に相当し、ｐ偏光光が第２偏光光に相当する。
【００２９】
クロスダイクロイックプリズム４００は、図１に示すように、４つの直角プリズムを貼り合わせた上面視略正方形状をなし、直角プリズム同士を貼りあわせた上面視略Ｘ字状の界面には、誘電体多層膜で形成された第１反射膜４０１および第２反射膜４０２が設けられている。
クロスダイクロイックプリズム４００は、誘電体多層膜の第１反射膜４０１が第１の空間光変調装置３２０Ｒにて変調されたＲ光を反射し、第３の空間光変調装置３２０Ｂおよび第２の空間光変調装置３２０Ｇにて変調されたＢ光およびＧ光を透過して、誘電体多層膜の第２反射膜４０２が第３の空間光変調装置３２０Ｂにて変調されたＢ光を反射し、第１の空間光変調装置３２０Ｒおよび第２の空間光変調装置３２０Ｇにて変調されたＲ光およびＧ光を透過して、各色光を合成する。クロスダイクロイックプリズム４００については、後で詳細に説明する。
【００３０】
投写レンズ５００は、複数のレンズ（図示省略）を有して構成され、クロスダイクロイックプリズム４００にて合成された光をスクリーン等の投写面に拡大投写する。
【００３１】
〔電気光学装置の構成〕
ここで、電気光学装置３００について詳細に説明する。
図２は、電気光学装置３００およびクロスダイクロイックプリズム４００を示す模式図である。
電気光学装置３００は、前述したように、副空間光変調装置３１０（第１の副空間光変調装置３１０Ｒ、第２の副空間光変調装置３１０Ｇ、第３の副空間光変調装置３１０Ｂ）、および空間光変調装置３２０（第１の空間光変調装置３２０Ｒ、第２の空間光変調装置３２０Ｇ、第３の空間光変調装置３２０Ｂ）を備える。
【００３２】
先ず、副空間光変調装置３１０について説明する。
図２に示すように、第１の副空間光変調装置３１０Ｒは、液晶パネル３１２Ｒ、および液晶パネル３１２Ｒの光入射側、光射出側にそれぞれ配置された入射側偏光板３１１Ｒ、射出側偏光板３１３Ｒを備える。
第２の副空間光変調装置３１０Ｇは、液晶パネル３１２Ｇ、および液晶パネル３１２Ｇの光入射側、射出側にそれぞれ配置された入射側偏光板３１１Ｇ、射出側偏光板３１３Ｇを備える。
第３の副空間光変調装置３１０Ｂは、液晶パネル３１２Ｂ、および液晶パネル３１２Ｂの光入射側、射出側にそれぞれ配置された入射側偏光板３１１Ｂ、射出側偏光板３１３Ｂを備える。
【００３３】
入射側偏光板３１１Ｒ，３１１Ｇ，３１１Ｂは、照明装置１０から射出されたｓ偏光光を透過し、ｓ偏光光と異なる偏光光を吸収して液晶パネル３１２Ｒ，３１２Ｇ，３１２Ｂに射出する。
【００３４】
液晶パネル３１２Ｒ，３１２Ｇ，３１２Ｂは、例えば、ＴＮ（Twist Nematic）型で構成され、一対の透明なガラス基板に液晶が密閉封入されて構成されている。液晶パネル３１２Ｒ，３１２Ｇ，３１２Ｂは、図示しない矩形状の画素領域を有し、この画素領域には、複数の画素がマトリックス状に形成されている。液晶パネル３１２Ｒ，３１２Ｇ，３１２Ｂの画素数は、空間光変調装置３２０の後述する液晶パネル３２２Ｒ，３２２Ｇ，３２２Ｂよりはるかに少なく形成されている（例えば、４×４の画素数）。
液晶パネル３１２Ｒ，３１２Ｇ，３１２Ｂは、図示しない制御部からの駆動信号に応じて、液晶の配向状態が制御され、入射側偏光板３１１Ｒ，３１１Ｇ，３１１Ｂから射出された各色光を画像情報に応じて変調する。
【００３５】
射出側偏光板３１３Ｒ，３１３Ｇ，３１３Ｂは、液晶パネル３１２Ｒ，３１２Ｇ，３１２Ｂから射出された光のうち一定方向の偏光光を透過し、その偏光光と異なる偏光光を吸収して空間光変調装置３２０に射出する。
射出側偏光板３１３Ｒ，３１３Ｂと、射出側偏光板３１３Ｇとは、透過軸の向きが異なるように配置される。
【００３６】
図３は、第１の副空間光変調装置３１０Ｒおよび第３の副空間光変調装置３１０Ｂを示す模式図である。図４は、第２の副空間光変調装置３１０Ｇを示す模式図である。
第１の副空間光変調装置３１０Ｒおよび第３の副空間光変調装置３１０Ｂにおける射出側偏光板３１３Ｒ，３１３Ｂは、図３に示すように、ｓ偏光光を透過するように配置された入射側偏光板３１１Ｒ，３１１Ｂに対し、ｐ偏光光を透過するように配置される。つまり、第１の副空間光変調装置３１０Ｒおよび第３の副空間光変調装置３１０Ｂにおける入射側偏光板３１１Ｒ，３１１Ｂと射出側偏光板３１３Ｒ，３１３Ｂとは、互いの透過軸が略直角となるクロスニコル配置となる。
【００３７】
一方、第２の副空間光変調装置３１０Ｇにおける射出側偏光板３１３Ｇは、図４に示すように、ｓ偏光光を透過するように配置された入射側偏光板３１１Ｇと同様に、ｓ偏光光を透過するように配置される。つまり、第２の副空間光変調装置３１０Ｇにおける入射側偏光板３１１Ｇと射出側偏光板３１３Ｇとは、互いの透過軸の方向が同一方向となるパラレルニコル配置となる。
このように、第１の副空間光変調装置３１０Ｒおよび第３の副空間光変調装置３１０Ｂにおける入射側偏光板３１１Ｒ，３１１Ｂと射出側偏光板３１３Ｒ，３１３Ｂとがクロスニコル配置で構成されることに対して、第２の副空間光変調装置３１０Ｇにおける入射側偏光板３１１Ｇと射出側偏光板３１３Ｇとは、パラレルニコル配置で構成される。
【００３８】
第１の副空間光変調装置３１０Ｒ、第２の副空間光変調装置３１０Ｇ、第３の副空間光変調装置３１０Ｂは、制御部からの駆動信号に基づいて液晶パネル３１２Ｒ，３１２Ｇ，３１２Ｂの画素電極毎に印加される電圧の大きさが変更されることにより、透過させる色光の光量を調整する。
【００３９】
具体的に、液晶パネル３１２Ｒ，３１２Ｇ，３１２Ｂは、画素電極に印加される電圧が低いと、その画素電極に対応する領域において、入射するｓ偏光光のほとんどをｐ偏光光に変換し、画素電極に印加される電圧が高いと、その画素電極に対応する領域において、入射するｓ偏光光のほとんどをｓ偏光光のままにする。
これによって、第１の副空間光変調装置３１０Ｒ、第３の副空間光変調装置３１０Ｂにおいては、液晶パネル３１２Ｒ，３１２Ｂに印加される電圧が低い程、入射する色光を多く透過させ、第２の副空間光変調装置３１０Ｇにおいては、液晶パネル３１２Ｇに印加される電圧が高い程、入射する色光を多く透過させる。
【００４０】
このように、副空間光変調装置３１０は、画素電極に対応して透過させる光量を調整し、第１の副空間光変調装置３１０Ｒにおいては、ｐ偏光光のＲ光を射出し、第２の副空間光変調装置３１０Ｇにおいては、ｓ偏光光のＧ光を射出し、第３の副空間光変調装置３１０Ｂにおいては、ｐ偏光光のＢ光を射出する。
【００４１】
次に、空間光変調装置３２０について説明する。
図２に戻って、第１の空間光変調装置３２０Ｒは、液晶パネル３２２Ｒ、および液晶パネル３２２Ｒの光入射側、射出側にそれぞれ配置された入射側偏光板３２１Ｒ、射出側偏光板３２３Ｒを備える。
第２の空間光変調装置３２０Ｇは、液晶パネル３２２Ｇ、および液晶パネル３２２Ｇの光入射側、射出側にそれぞれ配置された入射側偏光板３２１Ｇ、射出側偏光板３２３Ｇを備える。
第３の空間光変調装置３２０Ｂは、液晶パネル３２２Ｂ、および液晶パネル３２２Ｂの光入射側、射出側にそれぞれ配置された入射側偏光板３２１Ｂ、射出側偏光板３２３Ｂを備える。
【００４２】
液晶パネル３２２Ｒ，３２２Ｇ，３２２Ｂは、例えば、ＴＮ型で構成され、一対の透明なガラス基板に液晶が密閉封入された構成を有している。液晶パネル３２２Ｒ，３２２Ｇ，３２２Ｂは、図示しない微小画素がマトリックス状に形成された矩形状の画素領域を有し、制御部から入力された駆動信号に応じて各微小画素に対応する液晶の配向状態が制御され、入射する光を変調する。
液晶パネル３２２Ｒ，３２２Ｇ，３２２Ｂは、解像度が、副空間光変調装置３１０の液晶パネル３１２Ｒ，３１２Ｇ，３１２Ｂの解像度よりはるかに高密度（例えば、画素数が約１，３００×８００）に形成されており、また、各色の階調は、例えば２５６階調が可能に構成されている。なお、副空間光変調装置３１０の液晶パネル３１２Ｒ，３１２Ｇ，３１２Ｂにおける各色の階調数は、液晶パネル３２２Ｒ，３２２Ｇ，３２２Ｂの階調数と同等にすることも、異なる階調数とすることも可能である。
【００４３】
入射側偏光板３２１Ｒ，３２１Ｂは、ｐ偏光光を透過し、入射側偏光板３２１Ｇは、ｓ偏光光を透過するように配置される。そして、射出側偏光板３２３Ｒ，３２３Ｂは、ｓ偏光光を透過し、射出側偏光板３２３Ｇは、ｐ偏光光を透過するように配置される。つまり、各空間光変調装置３２０は、入射側偏光板３２１Ｒ，３２１Ｇ，３２１Ｂと射出側偏光板３２３Ｒ，３２３Ｇ，３２３Ｂとがクロスニコル配置に構成されている。
【００４４】
空間光変調装置３２０は、副空間光変調装置３１０にて光量が調整された色光を画像情報に応じて変調し、画素領域内に色光毎の画像を形成する。
具体的に、第１の空間光変調装置３２０Ｒは、第１の副空間光変調装置３１０Ｒから射出されたｐ偏光光のＲ光を変調し、ｓ偏光光のＲ光として射出する。同様に、第３の空間光変調装置３２０Ｂは、第３の副空間光変調装置３１０Ｂから射出されたｐ偏光光のＢ光を変調し、ｓ偏光光のＢ光として射出する。そして、第２の空間光変調装置３２０Ｇは、第２の副空間光変調装置３１０Ｇから射出されたｓ偏光光のＧ光を変調し、ｐ偏光光のＧ光として射出する。
【００４５】
このように、電気光学装置３００は、入射する各色光を副空間光変調装置３１０にて光量を調整し、空間光変調装置３２０にて各色光の画像を形成し、第１偏光光としてのｓ偏光光のＲ光（第１の色光）およびＢ光（第３の色光）を射出し、第２偏光光としてのｐ偏光光のＧ光（第２の色光）を射出する。
【００４６】
〔クロスダイクロイックプリズムの構成〕
クロスダイクロイックプリズム４００は、図２に示すように、また、前述したように、４つの直角プリズムを貼り合わせた上面視略Ｘ字状の界面に、誘電体多層膜で形成された第１反射膜４０１および第２反射膜４０２が設けられている。
第１反射膜４０１は、Ｒ光を反射しＧ光およびＢ光を透過する誘電体多層膜であり、第２反射膜４０２は、Ｂ光を反射し、Ｒ光およびＧ光を透過する誘電体多層膜である。
【００４７】
ここで、クロスダイクロイックプリズム４００の第１反射膜４０１および第２反射膜４０２の反射特性について説明する。
図５は、第１反射膜４０１および第２反射膜４０２の分光反射率特性を示すグラフであり、図５（ａ）は、ｓ偏光光およびｐ偏光光に対する第１反射膜４０１の分光反射率特性の一例を示すグラフ、図５（ｂ）は、ｓ偏光光およびｐ偏光光に対する第２反射膜４０２の分光反射率特性の一例を示すグラフである。なお、図５において、ｓ偏光光に対する反射率特性については、破線で示し、ｐ偏光光に対する反射率特性については、実線で示す。ここで、本実施形態において、第１の偏光方向を有する第１偏光光であるｓ偏光光とは、第１反射膜４０１の光入射平面の垂線とそこに入射する光束の中心軸とを含む入射面に対して垂直な方向に電界成分を有する偏光光である。また本実施形態において、第２の偏光方向を有する第２偏光光であるｐ偏光光とは、第１反射膜４０１の光入射平面の垂線とそこに入射する光束の中心軸とを含む入射面に対して平行な方向に電界成分を有する偏光光である。なお、本実施形態において、第１反射膜４０１の光入射平面の垂線とそこに入射する光束の中心軸とを含む入射面は、第２反射膜４０２の光入射平面の垂線とそこに入射する光束の中心軸とを含む入射面に対して平行なるように構成されている。
【００４８】
通常、Ｒ光の波長領域は、約５８０ｎｍ〜約７００ｎｍに設定され、Ｇ光の波長領域は、約５００ｎｍ〜約５８０ｎｍに設定され、Ｂ光の波長領域は、約４００ｎｍ〜約５００ｎｍに設定される。
第１反射膜４０１は、図５（ａ）に示すように、ｓ偏光光に対しては、約５３０ｎｍ〜約７５０ｎｍの領域で反射し、ｐ偏光光に対しては、約６００ｎｍ〜約７００ｎｍの領域で反射する特性を有している。つまり、第１反射膜４０１は、ｓ偏光光に対してはＲ光の波長領域より広い領域の波長を反射し、ｐ偏光光に対してはＲ光の波長領域より狭い領域の波長を反射する特性を有している。すなわち、第１反射膜４０１は、Ｒ光に対して、ｐ偏光光よりｓ偏光光の方を損失が少なく効率よく反射する。
また、第１反射膜４０１は、Ｇ光に対しては、ｓ偏光光においてＧ光の波長領域の一部の光を反射することとなるが、ｐ偏光光においてＧ光の波長領域の光を殆ど反射しないので、ｓ偏光光よりｐ偏光光の方を損失が少なく効率よく透過させることとなる。
【００４９】
第２反射膜４０２は、図５（ｂ）に示すように、ｓ偏光光に対しては、約３９０ｎｍ〜約５３０ｎｍの領域で反射し、ｐ偏光光に対しては、約４００ｎｍ〜約４６０ｎｍの領域で反射する特性を有している。つまり、第２反射膜４０２は、ｓ偏光光に対してはＢ光の波長領域より広い領域の波長を反射し、ｐ偏光光に対してはＢ光の波長領域より狭い領域の波長を反射する特性を有している。すなわち、第２反射膜４０２は、Ｂ光に対して、ｐ偏光光よりｓ偏光光の方を損失が少なく効率よく反射する。
また、第２反射膜４０２は、Ｇ光に対しては、ｓ偏光光においてＧ光の波長領域の一部の光を反射することとなるが、ｐ偏光光においてＧ光の波長領域の光を殆ど反射しないので、ｓ偏光光よりｐ偏光光の方を損失が少なく効率よく透過させることとなる。
【００５０】
電気光学装置３００から射出された３色の色光は、第１反射膜４０１により反射されたＲ光と、第２反射膜４０２により反射されたＢ光と、第１反射膜４０１および第２反射膜４０２を透過したＧ光とがＧ光の進行方向に揃えられて合成される。
具体的に、第１の空間光変調装置３２０Ｒから射出されたｓ偏光光のＲ光は、第２反射膜４０２は透過し第１反射膜４０１により反射され、第３の空間光変調装置３２０Ｂから射出されたｓ偏光光のＢ光は、第１反射膜４０１は透過し第２反射膜４０２により反射され、第２の空間光変調装置３２０Ｇから射出されたｐ偏光光のＧ光は、第１反射膜４０１および第２反射膜４０２を透過して、３つの色光が合成される。
【００５１】
このように、クロスダイクロイックプリズム４００には、第１偏光光としてのｓ偏光光のＲ光（第１の色光）およびＢ光（第３の色光）が入射し、第２偏光光としてのｐ偏光光のＧ光（第２の色光）が入射する。つまり、クロスダイクロイックプリズム４００には、第１反射膜４０１および第２反射膜４０２のいずれか一方で反射させたい色光が、第１反射膜４０１および第２反射膜４０２の反射効率が高い偏光方向の偏光光で入射し、第１反射膜４０１および第２反射膜４０２の両方を透過させたい色光が、第１反射膜４０１および第２反射膜４０２の透過効率が高い偏光方向の偏光光で入射し、クロスダイクロイックプリズム４００は、入射する色光の利用効率を高めて３色の色光を合成する。そして、クロスダイクロイックプリズム４００に合成された光は、投写レンズ５００によって、スクリーン等の投写面に投写される。
【００５２】
以上説明したように、本実施形態によれば、以下の効果を得ることができる。
（１）空間光変調装置３２０の光入射側には、副空間光変調装置３１０が配置されているので、照明装置１０から射出された色光の光量を調整し、投写される画像のコントラスト比の向上、つまり表示できる画像の明るさの範囲（ダイナミックレンジ）を広げることが可能となる。
また、クロスダイクロイックプリズム４００には、第１反射膜４０１および第２反射膜４０２の反射効率が高い偏光方向の色光が入射し、クロスダイクロイックプリズム４００は、入射する色光の利用効率を高めて３色の色光を合成する。
したがって、プロジェクター１０００は、コントラスト比および明るさの向上を図った画像の投写が可能となり、高画質で使用環境への対応に優れた画像の投写を実現することができる。
【００５３】
（２）副空間光変調装置３１０は、３つの色光毎に対応して設けられているので、照明装置１０から射出された３つの色光の光量を調整し、プロジェクター１０００は、さらにコントラスト比を高めた画像の投写が可能となる。
【００５４】
（３）照明装置１０からはｓ偏光光に揃えられた光が射出され、第１の副空間光変調装置３１０Ｒおよび第３の副空間光変調装置３１０Ｂは、入射側偏光板３１１Ｒ，３１１Ｂと射出側偏光板３１３Ｒ，３１３Ｂとがクロスニコル配置で構成され、第２の副空間光変調装置３１０Ｇは、入射側偏光板３１１Ｇと射出側偏光板３１３Ｇがパラレルニコル配置で構成されている。
このように、第１の副空間光変調装置３１０Ｒおよび第３の副空間光変調装置３１０Ｂと、第２の副空間光変調装置３１０Ｇとで、偏光板の透過軸の方向が異なるので、照明装置１０から射出されたｓ偏光光である３つの色光を所望の偏光方向に変換してクロスダイクロイックプリズム４００に入射させることができる。すなわち、照明装置１０から射出されたＲ光（第１の色光）およびＢ光（第３の色光）がｓ偏光光（第１偏光光）としてクロスダイクロイックプリズム４００に入射し、Ｇ光（第２の色光）がｐ偏光光（第２偏光光）としてクロスダイクロイックプリズム４００に入射するように容易に構成することができる。
【００５５】
（第２実施形態）
以下、第２実施形態に係るプロジェクターについて、図面を参照して説明する。以下の説明では、第１実施形態のプロジェクター１０００と同様の構成および同様の部材には、同一符号を付し、その詳細な説明は省略または簡略化する。
本実施形態のプロジェクターにおける照明装置（図示省略）は、第１実施形態の照明装置１０がｓ偏光光の色光を射出するのに対し、ｐ偏光光の色光を射出するように構成されている。また、本実施形態のプロジェクターは、第１実施形態の電気光学装置３００と異なる電気光学装置６００を備えている。
【００５６】
図６は、本実施形態の電気光学装置６００およびクロスダイクロイックプリズム４００を示す模式図である。
電気光学装置６００は、図６に示すように、第１実施形態における副空間光変調装置３１０と異なる副空間光変調装置６１０、および第１実施形態における空間光変調装置３２０と共通の空間光変調装置３２０を備えている。
【００５７】
副空間光変調装置６１０は、Ｒ光用の第１の副空間光変調装置６１０Ｒ、Ｇ光用の第２の副空間光変調装置６１０ＧおよびＢ光用の第３の副空間光変調装置６１０Ｂを備えている。各副空間光変調装置６１０は、ＴＮ型の液晶パネル６１２、および液晶パネル６１２の光入射側、光射出側にそれぞれ配置される入射側偏光板６１１、および射出側偏光板６１３を備えている。
【００５８】
第１の副空間光変調装置６１０Ｒおよび第３の副空間光変調装置６１０Ｂは、入射側偏光板６１１と射出側偏光板６１３とがパラレルニコル配置であり、この入射側偏光板６１１および射出側偏光板６１３は、ｐ偏光光を透過するように配置される。
第２の副空間光変調装置６１０Ｇは、入射側偏光板６１１と射出側偏光板６１３とがクロスニコル配置であり、この入射側偏光板６１１は、ｐ偏光光を透過し、この射出側偏光板６１３は、ｓ偏光光を透過するように配置される。
このように、第１の副空間光変調装置６１０Ｒおよび第３の副空間光変調装置６１０Ｂにおける入射側偏光板６１１と射出側偏光板６１３とがパラレルニコル配置で構成されることに対して、第２の副空間光変調装置６１０Ｇにおける入射側偏光板６１１と射出側偏光板６１３とは、クロスニコル配置で構成される。
【００５９】
そして、第１の副空間光変調装置６１０Ｒ、第３の副空間光変調装置６１０Ｂにおいては、液晶パネル６１２に印加される電圧が高い程、入射する色光を多く透過させ、第２の副空間光変調装置６１０Ｇにおいては、液晶パネル６１２に印加される電圧が低い程、入射する色光を多く透過させ、透過する色光の光量を調整する。
【００６０】
副空間光変調装置６１０から射出された色光は、空間光変調装置３２０にて変調される。そして、電気光学装置６００は、第１実施形態の電気光学装置３００と同様に、ｓ偏光光のＲ光（第１の色光）、Ｂ光（第３の色光）、およびｐ偏光光のＧ光（第２の色光）を射出する。
【００６１】
クロスダイクロイックプリズム４００には、第１実施形態と同様に、第１偏光光としてのｓ偏光光のＲ光（第１の色光）およびＢ光（第３の色光）が入射し、第２偏光光としてのｐ偏光光のＧ光（第２の色光）が入射する。そして、第１実施形態と同様に、クロスダイクロイックプリズム４００にて合成された光は、投写レンズ５００によってスクリーン等の投写面に投写される。
【００６２】
このように、本実施形態のプロジェクターは、照明装置１０から射出されたｐ偏光光の色光を副空間光変調装置６１０にて光量を調整し、空間光変調装置３２０にて変調した後、ｓ偏光光のＲ光（第１の色光）、Ｂ光（第３の色光）、およびｐ偏光光のＧ光（第２の色光）を射出する。そして、クロスダイクロイックプリズム４００は、第１実施形態のクロスダイクロイックプリズム４００と同様に、入射する３つの色光を効率よく合成して投写レンズ５００に射出し、投写レンズ５００は、この合成された光を投写する。
以上説明したように、本実施形態のプロジェクターによれば、照明装置１０がｐ偏光光を射出するように構成された場合であっても、第１実施形態のプロジェクター１０００と同様の効果を得ることができる。
【００６３】
（第３実施形態）
以下、第３実施形態に係るプロジェクターについて、図面を参照して説明する。以下の説明では、第１実施形態のプロジェクター１０００と同様の構成および同様の部材には、同一符号を付し、その詳細な説明は省略または簡略化する。
【００６４】
本実施形態のプロジェクターは、位相差板７１０を有する電気光学装置７００を備えている。
図７は、本実施形態の電気光学装置７００およびクロスダイクロイックプリズム４００を示す模式図である。
電気光学装置７００は、図７に示すように、Ｇ光の光路上に配置される位相差板７１０を備え、第１実施形態における第２の副空間光変調装置３１０Ｇとは異なる第２の副空間光変調装置７２０Ｇを備えている。
【００６５】
位相差板７１０は、ｓ偏光光およびｐ偏光光のいずれか一方を他方に変換する機能を有し、第２の副空間光変調装置７２０Ｇの光入射側に配置されている。
位相差板７１０は、照明装置１０から射出されるＧ光をｓ偏光光からｐ偏光光に変換する。
第２の副空間光変調装置７２０Ｇは、入射側偏光板７２１、液晶パネル７２２および射出側偏光板７２３を備えている。第２の副空間光変調装置７２０Ｇは、入射側偏光板７２１がｐ偏光光を透過し、射出側偏光板７２３がｓ偏光光を透過するようにクロスニコル配置に構成されている。そして、第２の副空間光変調装置７２０Ｇは、位相差板７１０から射出されたｐ偏光光のＧ光の透過する光量を調整する。
【００６６】
第１の副空間光変調装置３１０Ｒおよび第３の副空間光変調装置３１０Ｂも、偏光板がクロスニコル配置となるように構成されており、本実施形態の３つの副空間光変調装置３１０は、液晶パネル３１２Ｒ，３１２Ｂ（図２参照）および、液晶パネル７２２に印加される電圧が低い程、入射する色光を多く透過させる。なお、第２の副空間光変調装置３１０Ｇと第２の空間光変調装置３２０Ｇとの間、あるいは、第２の空間光変調装置３２０Ｇとクロスダイクロイックプリズム４００との間に位相差板７１０を配置してもよい。
以上説明したように、本実施形態のプロジェクターによれば、第１実施形態のプロジェクター１０００に加え、以下の効果を得ることができる。
３つの副空間光変調装置３１０は、液晶パネル３１２Ｒ，３１２Ｂ、７２２に印加される電圧が低い程、入射する色光を多く透過させるように光量を調整するので、液晶パネル３１２Ｒ，３１２Ｂ、７２２に印加する電圧の制御方法の簡素化が図れる。
【００６７】
（変形例）
なお、前記実施形態は、以下のように変更してもよい。
前記実施形態における副空間光変調装置３１０は、３つの色光それぞれに対応して３つ設けられているが、いずれか１つでもよい。例えば、電気光学装置３００、６００（図６参照）、７００における第１の副空間光変調装置３１０Ｒ、６１０Ｒ、７１０Ｒおよび第３の副空間光変調装置３１０Ｂ、６１０Ｂ、７１０Ｂを備えない構成としてもよい。比視感度特性が他の色光より高いＧ光を第２の副空間光変調装置３１０Ｇ、６１０Ｇ、７１０Ｇにて調整できるので、第２の副空間光変調装置３１０Ｇ，６１０Ｇ，７１０Ｇを備えない構成に比べ、投写される画像の高コントラスト比化が図れる。
【００６８】
クロスダイクロイックプリズム４００に、第１偏光光としてのｓ偏光光のＲ光（第１の色光）およびＢ光（第３の色光）が入射し、第２偏光光としてのｐ偏光光のＧ光（第２の色光）が入射するように構成されていれば、副空間光変調装置３１０や空間光変調装置３２０の液晶パネルをＴＮ型に限らずＶＡ（Vertical Alignment）型で構成してもよく、ＴＮ型の液晶パネルと、ＶＡ型の液晶パネルとが混在するように構成してもよい。
また、クロスダイクロイックプリズム４００に、第１偏光光としてのｓ偏光光のＲ光（第１の色光）およびＢ光（第３の色光）が入射し、第２偏光光としてのｐ偏光光のＧ光（第２の色光）が入射するように構成されていれば、ＷＶ（Wide View）フィルム等の光の位相のずれを補償する補償素子等を電気光学装置に配置するように構成してもよい。
【００６９】
前記実施形態では、副空間光変調装置３１０は、空間光変調装置３２０の光入射側に配置されているが、クロスダイクロイックプリズム４００に、第１偏光光としてのｓ偏光光のＲ光（第１の色光）およびＢ光（第３の色光）が入射し、第２偏光光としてのｐ偏光光のＧ光（第２の色光）が入射するように構成されていれば、空間光変調装置３２０の光射出側に配置してもよい。
【００７０】
前記実施形態では、ｓ偏光光を第１偏光光、ｐ偏光光を第２偏光光としているが、クロスダイクロイックプリズム４００における第１反射膜４０１、第２反射膜４０２がｐ偏光光に対して、ｓ偏光光に対するよりも広い波長領域で高い反射率を有する特性の部材で形成された場合には、ｐ偏光光を第１偏光光とし、ｓ偏光光を第２偏光光とする。そして、プロジェクターは、クロスダイクロイックプリズム４００に、ｐ偏光光である第１偏光光の第１の色光、第３の色光、およびｓ偏光光である第２偏光光の第２の色光が入射するように構成される。
【００７１】
第３実施形態における位相差板７１０は、Ｇ光の光路に設けられているが、他の色光の光路上に設けてもよい。
例えば、図示は省略するが、第２実施形態の電気光学装置６００におけるＲ光の光路上の第１の副空間光変調装置６１０Ｒの光入射側、およびＢ光の光路上の第３の副空間光変調装置６１０Ｂの光入射側に位相差板７１０を配置することも可能である。この場合、第１の副空間光変調装置６１０Ｒおよび第３の副空間光変調装置６１０Ｂは、入射側偏光板６１１がｓ偏光光を透過し、射出側偏光板６１３がｐ偏光光を透過するクロスニコル配置に構成される。この構成によれば、３つの副空間光変調装置３１０は、液晶パネル３１２Ｒ，３１２Ｂ、７２２に印加される電圧が低い程、入射する色光を多く透過させるように光量を調整するので、液晶パネル３１２Ｒ，３１２Ｂ、７２２に印加する電圧の制御方法の簡素化が図れる。
また、３つの色光のうち、副空間光変調装置３１０が配置されない色光の光路を有し、この光路に位相差板７１０を配置してもよい。
【００７２】
副空間光変調装置３１０、６１０、７１０と空間光変調装置３２０との間にリレーレンズ８１０を配置してもよい。
図８は、この変形例の電気光学装置８００およびクロスダイクロイックプリズム４００を示す模式図である。
リレーレンズ８１０は、図８に示すように、各色光用の副空間光変調装置３１０と空間光変調装置３２０との間に配置される。前記実施形態では、第１のレンズアレイ１２０で分割された複数の部分光束は、空間光変調装置３２０に重なるように光学部品が配置されているが、この変形例においては、第１のレンズアレイ１２０で分割された複数の部分光束が副空間光変調装置３１０に重なるように光学部品の位置が設定される。そして、リレーレンズ８１０は、副空間光変調装置３１０を透過した複数の部分光束が空間光変調装置３２０上に重なるように配置される。これによって、投写される画像のさらなるコントラスト比の向上が可能となる。
【００７３】
前記実施形態の空間光変調装置３２０および副空間光変調装置３１０は、透過型の液晶パネルを用いて構成されているが、反射型の液晶パネルを利用したものであってもよい。また、副空間光変調装置や空間光変調装置に用いられる入射側偏光板や射出側偏光板を反射型の偏光板を利用したものであってもよい。
上記実施形態では、白色光を色分離光学系２００によりＲ、Ｇ，Ｂの３つの波長域に分けてそれぞれ変調する構成に関する。本発明はこのような構成に限定されず、本発明は白色光を２つの波長域に分けてそれぞれ変調する構成へも適用できる。このような構成でも多色の画像を表示することができるからである。そして、このような構成の場合には、色合成光学装置の誘電体多層膜を反射させたい色光をｓ偏光光で色合成光学装置に入射させ、当該誘電体多層膜を透過させたい色光をｐ偏光光で色合成光学装置に入射させるように、上記実施形態で説明した構成を適応すればよい。
また、前記実施形態のプロジェクターは、第１の色光を赤色光、第２の色光を緑色光、および第３の色光を青色光として説明したが、これに限定されず、第１の色光、第２の色光および第３の色光は、それぞれの波長域に属した異なる色であればよい。
また、前記実施形態のプロジェクターは、副空間光変調装置３１０、６１０の液晶パネル３１２、６１２の画素数が、空間光変調装置３２０の液晶パネル３２２の画素数より少なく形成されている構成を説明したが、副空間光変調装置３１０、６１０の液晶パネル３１２、６１２の画素数が、空間光変調装置３２０の液晶パネル３２２の画素数と同数とすることも、より多くすることもできる。
【００７４】
光源１１０は、放電型のランプを用いたものに限らず、その他の方式のランプや発光ダイオード等の固体光源で構成してもよい。
また、異なる色光を射出する複数の光源を用い、色分離光学系を簡略化あるいは色分離光学系を備えないように照明装置を構成としてもよい。例えば、３つの色光をそれぞれ射出する複数のＬＥＤ（Light Emitting Diode）と、各ＬＥＤから射出される光の偏光方向を揃える素子と備えるように照明装置を構成してもよい。
【符号の説明】
【００７５】
１０…照明装置、１００…インテグレーター照明系、１１０…光源、３１０，６１０…副空間光変調装置、３１０Ｂ，６１０Ｂ…第３の副空間光変調装置、３１０Ｇ，６１０Ｇ，７２０Ｇ…第２の副空間光変調装置、３１０Ｒ，６１０Ｒ…第１の副空間光変調装置、３１１Ｂ，３１１Ｇ，３１１Ｒ，６１１，７２１…入射側偏光板、３１２Ｂ，３１２Ｇ，３１２Ｒ，６１２，７２２…液晶パネル、３１３Ｂ，３１３Ｇ，３１３Ｒ，６１３，７２３…射出側偏光板、３２０…空間光変調装置、３２０Ｂ…第３の空間光変調装置、３２０Ｇ…第２の空間光変調装置、３２０Ｒ…第１の空間光変調装置、３２１Ｂ，３２１Ｇ，３２１Ｒ…入射側偏光板、３２２Ｂ，３２２Ｇ，３２２Ｒ…液晶パネル、３２３Ｂ，３２３Ｇ，３２３Ｒ…射出側偏光板、４００…クロスダイクロイックプリズム、４０１…第１反射膜、４０２…第２反射膜、５００…投写レンズ、７１０…位相差板、８１０…リレーレンズ、１０００…プロジェクター。
【図１】
2014170095.tif 000003
【図２】
2014170095.tif 000004
【図３】
2014170095.tif 000005
【図４】
2014170095.tif 000006
【図５】
2014170095.tif 000007
【図６】
2014170095.tif 000008
【図７】
2014170095.tif 000009
【図８】
2014170095.tif 000010